(57)【特許請求の範囲】
【請求項１】
本体ハウジング、フォルダ、及び前記本体ハウジングと前記フォルダとを回転可能に連結する折り畳み型端末機のヒンジ装置において、
前記本体ハウジングのヒンジ軸の方向に配置されたヒンジアームと、
カメラレンズアセンブリを備え、前記ヒンジ軸を中心にして連結されるレンズハウジングと、
前記ヒンジアームに前記レンズハウジングを前記ヒンジ軸を中心として所定の角度内で回転できるように拘束するとともに、前記カメラレンズアセンブリのフレキシブルプリント回路基板が、前記本体ハウジングのメインプリント回路基板に連結されるために少なくとも一回以上巻かれる円筒部を前記ヒンジアーム側のヒンジ軸方向に延長して有する連結体と、
前記レンズハウジング及び前記連結体を前記ヒンジ軸方向に拘束する締結具とから構成され、
前記レンズハウジングは、前記ヒンジアームに対向する面に凹所（リセス）を有し、
前記レンズハウジングと前記連結体との間には、前記ヒンジアームに接触する突出部（テンション部）と前記凹所の底面に接触する外周端を有する弾性体をさらに備える
ことを特徴とするヒンジ装置。
【請求項２】
前記連結体の一端は開放されており、他端は一部開放されていることを特徴とする請求項１記載の装置。
【請求項３】
前記レンズハウジングは、軸方向に貫通しかつ周方向に沿って開口する第１開口を備えることを特徴とする請求項１記載の装置。
【請求項４】
前記ヒンジアームは、カメラレンズアセンブリから引き出されたフレキシブルプリント回路基板を本体メインプリント回路基板に電気的に連結するために第２開口をさらに備えることを特徴とする請求項１記載の装置。
【請求項５】
前記第２開口は、周方向に沿って開口することを特徴とする請求項４記載の装置。
【請求項６】
折り畳み型端末機において、
相互離隔した状態で配置された第１、２サイドヒンジアームをヒンジ軸の方向に一体型で備えた本体ハウジングと、
前記第１、２サイドヒンジアーム間に配置されるセンターヒンジアームを一体型で備えたフォルダと、
前記第２サイドヒンジアームに対面するように設けられ、前記ヒンジ軸を中心として連結される回転レンズハウジングと、
前記第２サイドヒンジアームに前記回転レンズハウジングを前記ヒンジ軸を中心として所定の角度内で回転できるように拘束するとともに、前記レンズハウジングから引き出されたフレキシブルプリント回路基板が前記本体ハウジングのメインプリント回路基板に連結されるために少なくとも一回以上巻かれる円筒部を前記ヒンジアーム側のヒンジ軸方向に延長して有する連結体と、
前記回転レンズハウジング及び前記連結体を前記ヒンジ軸方向に拘束する締結具とから構成され、
前記回転レンズハウジング  は、前記ヒンジアームに対向する面に凹所（リセス）を有し、
前記回転レンズハウジングと前記連結体との間には、前記ヒンジアームに接触する突出部（テンション部）と前記凹所の底面に接触する外周端を有する弾性体をさらに備え、
前記回転レンズハウジングには、軸方向に貫通しかつ周方向に沿って開口する第１開口が形成され、前記第２サイドヒンジアームには、軸方向に貫通しかつ周方向に沿って開口する第２開口が形成され、前記第１開口及び前記第２開口には前記フレキシブルプリント基板が前記ヒンジ軸の方向に挿入されてなる
ことを特徴とする折り畳み型端末機。
【発明の詳細な説明】
【０００１】
【発明の属する技術分野】
本発明は、折り畳み型端末機に関し、特に、折り畳み型端末機のヒンジ装置に装着される回転レンズハウジングの装着装置及びこれを採用した折り畳み型端末機に関する。
【０００２】
【従来の技術】
通常、携帯用端末機は、外形によって、バー型(bar-type)、フリップ型(flip-type)、及び折り畳み型(folder-type)端末機に区分され、携帯方法によって、ネックレスタイプ(neck wearable-type)またはリストタイプ(wrist-type)などに区分される。さらに、携帯用端末機は、使用機能によって、音声通信用、映像通信用、及びインターネット通信用の端末機に区分される。この時、相手との音声通信だけでなく、映像通信または被写体の撮影のためには、公知のカメラレンズアセンブリが携帯用端末機に必須に装着されるべきである。前記公知のカメラレンズアセンブリは、カメラレンズ、ＣＣＤ(charge coupled device)素子、及び前記ＣＣＤ素子からの信号を伝達するための回路から構成される。
【０００３】
前記カメラレンズアセンブリが折り畳み型端末機に装着されたことを例に挙げて説明する。一般的な折り畳み型端末機は、本体ハウジングと、フォルダと、前記本体ハウジングとフォルダとを回転できるように連結するヒンジ装置と、から構成される。前記カメラレンズアセンブリは、本体ハウジングまたはフォルダのいずれかが一方に装着されて使用される。
【０００４】
バー型端末機またはフリップ型端末機の場合も、カメラレンズアセンブリが本体ハウジングに装着されて使用される。さらに、ノートパソコンやＰＤＡにも同一の構造でカメラレンズアセンブリが本体に装着されて使用されている。
【０００５】
しかしながら、従来のカメラレンズアセンブリの装着構造は、動かない固定体、例えば、本体の所定の位置に装着されることが一般的である。従って、使用者は、映像通信の遂行において、レンズと対面する不便な姿勢をとるしかない。さらに、所望する被写体を撮影する時も、使用者は、非常に不便な姿勢で撮影を遂行しなければならない。
【０００６】
さらに、前記カメラレンズアセンブリが装着された携帯用端末機は、使用者の不注意によって地面に落とされると壊れてしまう。その理由は、従来のカメラレンズアセンブリは、本体から突出して装着されるためであり、前記突出した部分は、落下の時に最初に破損することが一般的である。
【０００７】
【発明が解決しようとする課題】
従って、本発明の目的は、回転レンズハウジングが提供されることによって、楽な姿勢で相手との映像通信を可能にする回転レンズハウジング装着装置及びこれを採用した折り畳み型端末機を提供することにある。
【０００８】
本発明の他の目的は、回転レンズハウジングがヒンジ装置に提供される場合、フレキシブルプリント回路基板のねじれが発生しない回転レンズハウジング装着装置及びこれを採用した折り畳み型端末機を提供することにある。
【０００９】
本発明のまた他の目的は、折り畳み型端末機において、フォルダの開閉動作に関係なく被写体が撮影できる回転レンズハウジングの装着装置及びこれを採用した折り畳み型端末機を提供することにある。
【００１０】
【課題を解決するための手段】
前記目的を解決するための本発明は、本体ハウジング、フォルダ、及び前記本体ハウジングと前記フォルダとを回転可能に連結するヒンジ装置から構成された折り畳み型端末機において、前記本体ハウジングの一側ヒンジ軸の方向に配置されたヒンジアームと、カメラレンズアセンブリを備えたレンズハウジングと、前記ヒンジアームにレンズハウジングを所定の角度内で回転できるように拘束し、前記カメラレンズアセンブリのフレキシブルプリント回路基板が、メインプリント回路基板に連結されるために少なくとも一回以上巻線されて経由する連結体と、前記レンズハウジング及び連結体をヒンジ軸方向に拘束する締結具と、から構成される。
【００１１】
さらに、本発明による折り畳み型端末機は、相互離隔した状態で配置された第１、２サイドヒンジアームを一体型で備えた本体ハウジングと、前記第１、２サイドヒンジアーム間に配置されるセンターヒンジアームを一体型で備えたフォルダと、前記第２サイドヒンジアームに対面するように提供される回転レンズハウジングと、前記第２サイドヒンジアームに回転レンズハウジングを所定の角度内で回転できるように拘束させ、前記レンズハウジングから引き出されたフレキシブルプリント回路基板がメインプリント回路基板に連結されるために少なくとも一回以上巻線された状態で経由し、前記レンズハウジングを前記第２サイドヒンジアームに拘束させるための周方向に突出したした突出部を備える連結体と、前記レンズハウジング及び第２サイドヒンジアームにそれぞれ周方向に沿って延長して前記フレキシブルプリント回路基板が貫通するための第１、２開口と、前記レンズハウジング及び連結体をヒンジ軸方向に拘束する締結具と、から構成される。
【００１２】
【発明の実施の形態】
以下、本発明に従う好適な実施形態について添付図を参照しつつ詳細に説明する。下記の説明において、本発明の要旨のみを明確にする目的で、関連した公知機能または構成に関する具体的な説明は省略する。
【００１３】
図１は、本発明による回転レンズハウジング３０が装着された折り畳み型端末機の斜視図であり、フォルダ２０が本体ハウジング１０の方に閉じられている状態を示す図である。図２は、本発明による回転レンズハウジング３０が採用された折り畳み型端末機の平面図であり、フォルダ２０が本体ハウジング１０から完全に広げられている状態を示す図である。
【００１４】
図１及び図２に示すように、本発明の一実施形態によるレンズハウジング３０が装着された折り畳み型端末機は、本体ハウジング(body housing)１０、フォルダ(folder)２０、前記本体ハウジング１０とフォルダ２０とを回転できるように連結するヒンジ装置(hinge means)Ｈ、及び前記ヒンジ装置Ｈのヒンジ軸Ａ１の方向に設けられて被写体の撮影のためのカメラレンズアセンブリが装着された回転レンズハウジング(rotational lens housing)３０から構成される。前記回転レンズハウジング３０は、前記ヒンジ軸Ａ１に同軸で置かれ、所定の角度内で回転軸Ａ２を中心に回転できる。この時、前記ヒンジ軸Ａ１及び回転軸Ａ２は、同軸に構成される。
【００１５】
前記本体ハウジング１０は、押し動作によって所望するデータを入力するための多数のキー１１０及びマイク装置１２０を含み、前記フォルダ２０は、入力されたデータがディスプレイされるＬＣＤ２２０及びイヤーピース(earpiece)２１０を含む。前記キー１１０は、文字キー、数字キー、通話キー、削除キー、終了キー、及び特殊機能キーなどから構成され、前記イヤーピースは、スピーカ(図示せず)を含む。
【００１６】
前記フォルダ２０は、ヒンジ軸Ａ１を中心にして本体ハウジング１０から開閉される。前記ヒンジ装置Ｈは、本体ハウジングに一体型で、離隔した状態で対向して設けられる第１、２サイドヒンジアーム(side hinge arm)１０１、１０２、前記フォルダ２０に一体型に設けられるセンターヒンジアーム(center hinge arm)２０１、及び前記第２サイドヒンジアーム１０２の一側に設けられて回転できるように連結されるレンズハウジング３０から構成される。つまり、前記センターヒンジアーム２０１、第１、２サイドヒンジアーム１０１、１０２、及びレンズハウジング３０は、ヒンジ軸Ａ１を中心にして連結される。つまり、前記レンズハウジング３０もヒンジ軸Ａ１に沿って置かれてヒンジ機能を遂行するので、ヒンジ軸Ａ１を構成する。前記レンズハウジング３０、第１、２イドヒンジアーム１０１、１０２、及びセンターヒンジアーム２０１は、中空形(hollow)及び円筒形(cylindrical)から構成される。あわせて、前記レンズハウジング３０の一端には回転ハンドル３３０が追加されて回転動作を容易にする。
【００１７】
前述したように、前記レンズハウジング３０は、所定の角度内で回転できるので、下記のような状態で使用できる。まず、前記折り畳み型端末機がカメラとして機能しない状態、つまり、使用者が携帯している状態(図１に示す状態)であれば、前記レンズハウジング３０の所定の位置に露出されたカメラレンズ３１０は、本体ハウジング１０内に回転して移動されて本体ハウジング内に隠された状態で使用される。一方、相手と対面して映像通話(図２に示す状態)を遂行する場合、前記レンズハウジングのカメラレンズ３１０と最適に対面できる角度に前記レンズハウジング３０を回転してカメラレンズ３１０と対面しながら通話を遂行する。さらに、所望する被写体を撮影したい場合は、前記カメラレンズ３１０が向かう角度を所望する目的物である被写体の方に適切に調節して使用する。つまり、本発明の回転レンズハウジング３０は、使用しない時は、前記本体ハウジング１０内に隠される状態で維持できるので、外部環境から保護でき、特に、ヒンジ装置Ｈに設けられるので、装着構造に対する構造的な強みを提供することができる。
【００１８】
図３乃至図５及び図７を参照して、本発明によるレンズハウジング３０の装着装置に関して具体的に説明する。図３乃至図５及び図７に示すように、本発明による装着装置は、前記レンズハウジング３０、前記本体ハウジングの第２サイドヒンジアーム１０２、及び前記レンズハウジング３０が前記第２サイドヒンジアーム１０２に対して回転できるように拘束する連結体４０から構成される。さらに、本発明は、前記レンズハウジング３０をサイドヒンジアーム１０２に拘束された状態で連結するための連結体４０を締結するための締結具Ｓをさらに備え、前記レンズハウジング３０の回転動作及び回転後の停止状態を維持することができるように前記レンズハウジング３０と連結体４０との間に弾性体３２０をさらに備える。
【００１９】
図５に示すように、前記弾性体３２０が安定し取りつけられるように、前記レンズハウジング３０の一面に凹んだリセス（凹所）３１４が備わる。前記リセス３１４が形成されたレンズハウジング３０の一面は、前記第２サイドヒンジアーム１０２と対向する面である。さらに、前記レンズハウジングのリセス３１４は、カメラレンズアセンブリから引き出されたフレキシブルプリント回路基板(flexible printed circuit board:以下、ＦＰＣＢと称する)が貫通するための開口３１６を備える。
【００２０】
図３及び図４に示すように、前記連結体４０は、レンズハウジングと連結された状態で第２サイドヒンジアームに拘束できるように突出部４０２を備える。あわせて、前記連結体４０の一端は、完全開放端４０１から構成され、他端は、一部開放端４０３から構成される。前記連結体４０が締結具Ｓを利用して装着された場合、前記連結体４０の完全開放端４０１は、前記第２サイドヒンジアーム１０２の方に向かい、前記一部開放端４０３は、レンズハウジング３０の方に向かう。この時、前記締結具Ｓは、公知のねじが使用される。前記突出部４０２は、連結体から外周方向に突出した円形であり、前記第２サイドヒンジアーム１０２の一端に拘束され、前記締結具Ｓを利用して前記レンズハウジング３０を前記第２サイドヒンジアーム１０２に拘束する。
【００２１】
図３に示すように、前記弾性体３２０は、周方向に沿って突出形のテンション部３２１を備える。前記テンション部３２１は、前記レンズハウジング３０が連結体４０及び締結具Ｓによって前記第２サイドヒンジアーム１０２に連結された状態になった場合、前記レンズハウジング３０の回転及び連結機能を提供するために備わる。この時、前記弾性体３２０の突出部分は、前記第２サイドヒンジアーム１０２と接触するように構成され、前記弾性体３２０の外周端は、前記リセス３１４の底面に接触する。
【００２２】
図５を参照して、カメラレンズアセンブリのＦＰＣＢ３１２の装着構造に関して説明する。図５に示すように、公知のカメラレンズアセンブリは、カメラレンズ３１０、前記カメラレンズ３１０の下側に装着されたＣＣＤ素子(図示せず)、及び前記ＣＣＤ素子が接続されたＦＰＣＢ３１２から構成され、前記カメラレンズアセンブリは、本体ハウジング１０に装着されたメインプリント回路基板１３０に電気的に連結されるべきである。従って、前記レンズハウジングに装着されたカメラレンズアセンブリのＦＰＣＢ３１２の端部に備わったスリム型コネクタ３１２ａは、第２サイドヒンジアーム１０２及び連結体４０を経由してメインプリント回路基板１３０の方に接続される。この時、前記レンズハウジング３０は、回転可能の構造であるので、ＦＰＣＢ３１２のねじれの防止のための別途のＦＰＣＢ装着構造が要求される。
【００２３】
前述したように、前記レンズハウジングのリセス３１４と第２サイドヒンジアーム１０２との対向する両面は、ＦＰＣＢが貫通する第１、２開口３１６、１０２ａをそれぞれ備える。前記第１、２開口３１６、１０２ａは、周方向に形成される。さらに、前記レンズハウジング３０から引き出されたＦＰＣＢ３１２は、前記第１、２開口３１６、１０２ａを順に貫通した後、前記連結体４０の外周に沿って一回巻かれた後、本体ハウジングのメインプリント回路基板１３０に向かうように位置する。つまり、前記レンズハウジング３０は回転可能であり、前記本体ハウジング１０は固定されている。一方、前記ＦＰＣＢ３１２は、レンズハウジング３０及び本体ハウジング１０にわたって置かれるので、少なくとも一回以上連結体４０を巻いた後、メインプリント回路基板１３０に連結されて発生するＦＰＣＢのねじれを防止する。
【００２４】
さらに、前記ＦＰＣＢ３１２が一回以上巻かれることが容易になるように、前記連結体４０は、円筒形に形成される。さらに、前記ＦＰＣＢ３１２は、前記連結体４０の外周方向に沿って２回以上巻かれるように構成されることができる。
【００２５】
結果的に、本発明による回転レンズハウジングは、折り畳み型端末機に回転できるように装着されることによって、楽な姿勢で映像通話を遂行することができ、特に、レンズハウジングが回転されても、ＦＰＣＢのねじれを予め防止することができる。
【００２６】
一方、前記本発明の詳細な説明では具体的な実施形態に挙げて説明してきたが、本発明の範囲内で様々な変形が可能であるということは勿論である。従って、本発明の範囲は前記実施形態によって限られるべきでなく、特許請求の範囲とそれに均等なものによって定められるべきである。例えば、本発明は、折り畳み型端末機に限られるべきでなく、全ての折り畳み型通信装置に同一に適用されることができる。
【００２７】
【発明の効果】
前述してきたように、本発明は、カメラレンズアセンブリをヒンジ装置に設け、所望する角度でレンズハウジングを回転させることが可能になることによって、使用者にとって、相手と映像通信及び被写体撮影が便利になるという効果がある。さらに、本発明は、ＦＰＣＢのねじれを予め防止することができるようになり、特に、レンズハウジングがヒンジ軸に設けられるので、前記レンズハウジングが前記ヒンジ手段に装着される構造に強みを提供することができる。
【図面の簡単な説明】
【図１】  本発明の好適な実施形態によるカメラレンズアセンブリがレンズハウジングに装着された折り畳み型端末機において、フォルダが閉じられた状態を示す斜視図である。
【図２】  本発明の好適な一実施形態によるカメラレンズアセンブリがレンズハウジングに装着された折り畳み型端末機において、フォルダが広げられた状態を示す平面図である。
【図３】  本発明の好適な一実施形態によるレンズハウジングの装着装置を示すために一部を切開して拡大した断面図である。
【図４】  本発明の好適な一実施形態による連結体を示す斜視図である。
【図５】  本発明の好適な一実施形態によるレンズハウジングから引き出されたＦＰＣＢの巻線状態を示す斜視図である。
【図６】  図３のラインＸ−Ｘに沿って切開した断面図である。
【図７】  本発明によるレンズハウジングに装着された弾性を示す側面図である。
【符号の説明】
１０    本体ハウジング
２０    フォルダ
３０    回転レンズハウジング
４０    連結体
１０１・１０２    第１・２サイドヒンジアーム
１０２ａ    第２開口
１３０    メインプリント回路基板
２０１    センターヒンジアーム
３１０    カメラレンズ
３１２    フレキシブル回路基板
３１４    リセス
３１６    第１開口
３２０    弾性体
Ｓ    締結具
【図１】
0004234379.tif 000002
【図２】
0004234379.tif 000003
【図３】
0004234379.tif 000004
【図４】
0004234379.tif 000005
【図５】
0004234379.tif 000006
【図６】
0004234379.tif 000007
【図７】
0004234379.tif 000008